(57)【要約】【課題】ユーザーが、意図せずに、流路の開閉状態を変化させるコック部材の回転を実行してしまうことを抑制可能な医療用コネクタ及び輸液セットを提供する。【解決手段】中空部を区画するホルダ本体、及び当該ホルダ本体の外壁に設けられ、前記中空部と連通する流路を区画し、医療器具と接続される複数のポート部を備えるホルダ部材と、前記ホルダ本体の前記中空部に収容され、前記ホルダ本体の内壁と摺動しながら前記ホルダ部材に対して回転することにより前記複数のポート部が区画する前記流路間の接続状態を変化させるコック部材と、を備え、前記コック部材の少なくとも一部が前記ホルダ部材に対する位置を変えることにより、前記ホルダ部材に対する前記コック部材の回転量が制限されない第１の形態と、前記ホルダ部材に対する前記コック部材の回転量が制限される第２の形態と、に変形可能である。【選択図】図１
2015186498.tif 000002
【特許請求の範囲】
【請求項１】
中空部を区画するホルダ本体、及び当該ホルダ本体の外壁に設けられ、前記中空部と連通する流路を区画し、医療器具と接続される複数のポート部を備えるホルダ部材と、
前記ホルダ本体の前記中空部に収容され、前記ホルダ本体の内壁と摺動しながら前記ホルダ部材に対して回転することにより前記複数のポート部が区画する前記流路間の接続状態を変化させるコック部材と、を備え、
前記コック部材の少なくとも一部が前記ホルダ部材に対する位置を変えることにより、前記ホルダ部材に対する前記コック部材の回転量が制限されない第１の形態と、前記ホルダ部材に対する前記コック部材の回転量が制限される第２の形態と、に変形可能であることを特徴とする医療用コネクタ。
【請求項２】
前記コック部材の前記少なくとも一部が前記コック部材の回転軸方向に移動することにより、前記第１の形態と前記第２の形態とに変形可能であることを特徴とする、請求項１に記載の医療用コネクタ。
【請求項３】
前記ホルダ部材と前記コック部材との間に、前記第２の形態で互いに嵌合する凸部及び凹部が設けられていることを特徴とする、請求項２に記載の医療用コネクタ。
【請求項４】
前記凸部は、前記コック部材の外壁に設けられ、
前記凹部は、前記ホルダ本体の、前記回転軸方向における一端に設けられていることを特徴とする、請求項３に記載の医療用コネクタ。
【請求項５】
前記コック部材は、前記複数のポート部の前記流路間を接続する接続流路を区画すると共に、前記中空部を区画する前記ホルダ本体の前記内壁と摺動しながら前記ホルダ部材に対して回転する流路部材と、前記流路部材に対して移動可能に取り付けられたハンドル部材と、を備え、
前記ハンドル部材が前記流路部材及び前記ホルダ部材に対する位置を変えることにより、前記第１の形態と前記第２の形態とに変形可能であることを特徴とする、請求項１乃至４のいずれか１つに記載の医療用コネクタ
【請求項６】
前記流路部材と前記ハンドル部材との間に、前記第１の形態で互いに嵌合する凸部及び凹部が設けられていることを特徴とする、請求項５に記載の医療用コネクタ。
【請求項７】
請求項１乃至６のいずれか１つに記載の医療用コネクタを備える輸液セット。
【発明の詳細な説明】
【技術分野】
【０００１】
本発明は、医療用コネクタ及び当該医療用コネクタを備える輸液セットに関し、特に、コック部材を備える医療用コネクタ及び当該医療用コネクタを備える輸液セットに関する。
【背景技術】
【０００２】
輸液を行なう際、薬液や血液等の液体を生体に投与するために、医療用チューブなどを備える輸液セットが用いられている。輸液セットの構成部品として、例えば医療用チューブ間の接続などに用いられる医療用コネクタがある。この医療用コネクタとしては、例えば三方活栓などの、流路を開閉可能なコック部材を備える医療用コネクタがある。
【０００３】
特許文献１には、中空バレルと、中空バレルの外面から互いに間隔を隔てて半径方向外方に延びる複数の中空スピゴットと、中空バレル内で回転できるように取り付けられた本体部分を備えるタップと、を有する三方活栓が開示されている。
【０００４】
また、特許文献１の中空バレルには２つの戻り止めが形成されていると共に、タップには複数の刻み目が形成されている。そのため、オペレータは、適当な刻み目と戻り止めとの係合を感じ取ることができ、この整合が達成される時点を知ることができる。
【先行技術文献】
【特許文献】
【０００５】
【特許文献１】実用新案登録第３０３６８３３号公報
【発明の概要】
【発明が解決しようとする課題】
【０００６】
特許文献１に開示の三方活栓では、オペレータなどのユーザーが、何らかの理由により、意図せずにコック部材としてのタップを回転させてしまうおそれがある。コック部材が回転すると、三方活栓内の流路の開閉関係が変化するため、例えば、意図しない薬液等の液体が生体へと供給されてしまう等の問題が生じるおそれがある。
【０００７】
本発明の目的は、上記問題に鑑み、ユーザーが、意図せずに、流路の開閉状態を変化させるコック部材の回転を実行してしまうことを抑制可能な医療用コネクタ及び輸液セットを提供することである。
【課題を解決するための手段】
【０００８】
本発明の第１の態様としての医療用コネクタは、中空部を区画するホルダ本体、及び当該ホルダ本体の外壁に設けられ、前記中空部と連通する流路を区画し、医療器具と接続される複数のポート部を備えるホルダ部材と、前記ホルダ本体の前記中空部に収容され、前記ホルダ本体の内壁と摺動しながら前記ホルダ部材に対して回転することにより前記複数のポート部が区画する前記流路間の接続状態を変化させるコック部材と、を備え、前記コック部材の少なくとも一部が前記ホルダ部材に対する位置を変えることにより、前記ホルダ部材に対する前記コック部材の回転量が制限されない第１の形態と、前記ホルダ部材に対する前記コック部材の回転量が制限される第２の形態と、に変形可能であることを特徴とするものである。
【０００９】
本発明の１つの実施形態として医療用コネクタは、前記コック部材の前記少なくとも一部が前記コック部材の回転軸方向に移動することにより、前記第１の形態と前記第２の形態とに変形可能であることが好ましい。
【００１０】
本発明の１つの実施形態としての医療用コネクタは、前記ホルダ部材と前記コック部材との間に、前記第２の形態で互いに嵌合する凸部及び凹部が設けられていることが好ましい。
【００１１】
本発明の１つの実施形態として、前記凸部は、前記コック部材の外壁に設けられ、前記凹部は、前記ホルダ本体の、前記回転軸方向における一端に設けられていることが好ましい。
【００１２】
本発明の１つの実施形態として、前記コック部材は、前記複数のポート部の前記流路間を接続する接続流路を区画すると共に、前記中空部を区画する前記ホルダ本体の前記内壁と摺動しながら前記ホルダ部材に対して回転する流路部材と、前記流路部材に対して移動可能に取り付けられたハンドル部材と、を備え、前記ハンドル部材が前記流路部材及び前記ホルダ部材に対する位置を変えることにより、前記第１の形態と前記第２の形態とに変形可能であることが好ましい。
【００１３】
本発明の１つの実施形態としての医療用コネクタは、前記流路部材と前記ハンドル部材との間に、前記第１の形態で互いに嵌合する凸部及び凹部が設けられていることが好ましい。
【００１４】
本発明の第２の態様としての輸液セットは、上記医療用コネクタを備えるものである。
【発明の効果】
【００１５】
本発明によると、ユーザーが、意図せずに、流路の開閉状態を変化させるコック部材の回転を実行してしまうことを抑制可能な医療用コネクタ及び輸液セットを提供することができる。
【図面の簡単な説明】
【００１６】
【図１】本発明の一実施形態としてのコネクタ１を示す斜視図である。
【図２】コネクタ１の断面図である。
【図３】コネクタ１のホルダ部材２を示す斜視図である。
【図４】コネクタ１のコック部材３を示す斜視図である。
【図５】コック部材３の流路部材１７を示す斜視図である。
【図６】コック部材３のハンドル部材１８を示す斜視図である。
【図７】本発明の一実施形態としての輸液セット１１０を示す図である。
【発明を実施するための形態】
【００１７】
以下、本発明に係る医療用コネクタ及び輸液セットの実施形態について、図１〜図７を参照して説明する。なお、各図において共通の部材には、同一の符号を付している。
【００１８】
まず、本発明に係る医療用コネクタの１つの実施形態について説明する。図１は、本実施形態における医療用コネクタ１（以下、単に「コネクタ１」と記載する。）を示す斜視図である。図２は、コネクタ１の断面図である。なお、本実施形態のコネクタ１は三方活栓である。
【００１９】
図１、図２に示すように、コネクタ１は、ホルダ部材２と、ホルダ部材２に取り付けられるコック部材３と、コック部材３とは異なる位置でホルダ部材２に取り付けられる接続部材５０と、を備える。
【００２０】
以下に本実施形態のコネクタ１における各部材及び各部材により構成される特徴部の詳細について説明する。
【００２１】
［ホルダ部材２］
図３は、図１に示すコネクタ１を構成するホルダ部材２を示す斜視図である。図１〜図３に示すように、ホルダ部材２は、ホルダ本体４と、このホルダ本体４の外壁に設けられた複数のポート部と、を備える。より具体的に、ホルダ部材２は、中空部５を区画するホルダ本体４と、このホルダ本体４の外壁に設けられ、中空部５と連通する流路を区画し、医療用チューブなどの医療器具と接続される複数のポート部と、を備える。
【００２２】
本実施形態のホルダ本体４は略円筒状であり、図３に示すように略円柱状の中空部５を区画している。この中空部５には、図１、図２に示すように、コック部材３が収容される。
【００２３】
また、図１、図３に示すように、本実施形態のホルダ本体４の中心軸方向Ａの一端（図１、図３における上端）には、コック部材３のハンドル部材１８に形成される凸部３３が嵌合する複数の凹部４０が設けられている。更に、図２に示すように、本実施形態のホルダ本体４の内壁２０には、後述するコック部材３の環状凹部２５と嵌合し、コック部材３の、ホルダ本体４の中心軸方向Ａにおけるホルダ部材２に対する位置を固定する環状凸部２６が形成されている。
【００２４】
図１〜図３に示すように、本実施形態の複数のポート部は、第１ポート部７と、第２ポート部８と、第３ポート部９と、で構成され、いずれもホルダ本体４の外壁に一体で形成され、ホルダ本体４の径方向Ｂに延在している。第１ポート部７は、中空部５と連通する第１流路１０を区画する管状部であり、例えば医療用チューブ（図７参照）などの第１医療器具と接続される。第２ポート部８は、中空部５と連通する第２流路１１を区画する管状部であり、例えば医療用チューブなどの第２医療器具と接続される。第３ポート部９は、中空部５と連通する第３流路１２を区画しており、例えばオスコネクタを有するシリンジや医療用チューブなどの第３医療器具と接続される。
【００２５】
第１ポート部７は、ホルダ本体４の周面に設けられている。より具体的に、本実施形態の第１ポート部７は、ホルダ本体４の周面に、ホルダ本体４と一体成型された管状部である。なお、薬液等の液体は、第１ポート部７に第１医療器具が接続された状態において、第１医療器具から第１ポート部７の第１流路１０を通じてコネクタ１に流入する。従って、コネクタ１を備える輸液セットにおいて、第１ポート部７はコネクタ１の上流ポート部として機能する。
【００２６】
第２ポート部８は、ホルダ本体４を挟み、第１ポート部７とは反対側の位置で、ホルダ本体４の周面に設けられている。より具体的に、本実施形態の第２ポート部８は、ホルダ本体４の周面に、ホルダ本体４と一体成型された管状部である。なお、薬液等の液体は、第２ポート部８に第２医療器具が接続された状態において、コネクタ１から第２ポート部８の第２流路１１を通じて第２医療器具に流出する。従って、コネクタ１を備える輸液セットにおいて、第２ポート部８はコネクタ１の下流ポート部として機能する。
【００２７】
第３ポート部９は、ホルダ本体４の周面のうち、第１ポート部７及び第２ポート部８が設けられている位置とは異なる位置の周面に設けられている。より具体的に、本実施形態の第３ポート部９は、ホルダ本体４の周面の周方向Ｃにおいて、第１ポート部７及び第２ポート部８が設けられた位置と約９０度ずれた位置に、ホルダ本体４と一体成型されている。なお、第３ポート部９は、所謂分岐ポート部として機能するものであり、例えば、第１ポート部７に第１医療器具が接続され、かつ、第２ポート部８に第２医療器具が接続された状態において、第１ポート部７の第１流路１０からコネクタ１内に流入する液体に対して、この液体とは異なる薬液等の液体を第３ポート部９の第３流路１２から混注することができる。
【００２８】
なお、本実施形態の第３ポート部９の先端部には、オスコネクタの挿入部１３を区画するキャップ部材１４と、スリット１５を有し、挿入部１３を閉塞する弾性弁体１６と、で構成される接続部材５０が取り付けられている。接続部材５０の詳細は後述する。
【００２９】
ホルダ部材２の材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。その他に、各種ガラス材、セラミックス材料、金属材料であってもよい。
【００３０】
［コック部材３］
次に、ホルダ本体４が区画する中空部５に収容されるコック部材３について説明する。コック部材３は、ホルダ本体４の中空部５に収容され、中空部５を区画するホルダ本体４の内壁２０と摺動しながらホルダ部材２に対して回転することにより複数のポート部（第１ポート部７、第２ポート部８及び第３ポート部９）がそれぞれ区画する流路（第１流路１０、第２流路１１及び第３流路１２）間の接続状態を変化させる。なお、流路間の接続状態は、各流路の開閉状態を変化させることにより、すなわち、各流路の開放状態と閉鎖状態とを切り替えることにより、変化する。
【００３１】
図４は、図１に示すコネクタ１を構成するコック部材３を示す斜視図である。図４に示すように、本実施形態のコック部材３は、流路部材１７と、この流路部材１７に対して移動可能に、流路部材１７に取り付けられたハンドル部材１８と、を備える。なお、図５は、流路部材１７単体を示す斜視図であり、図６は、ハンドル部材１８単体を示す斜視図である。
【００３２】
流路部材１７は、図２に示すように、ホルダ本体４の中空部５（図３参照）内に収容され、中空部５を区画するホルダ本体４の内壁２０と摺動しながらホルダ部材２に対して回転する。また、流路部材１７は、ホルダ部材２の複数のポート部（第１ポート部７、第２ポート部８及び第３ポート部９）の流路（第１流路１０、第２流路１１及び第３流路１２）間を接続する接続流路１９を区画しており、流路部材１７が中空部５内でホルダ部材２に対して回転することにより、ホルダ部材２の複数のポート部が区画する流路間の接続状態を変化させることができる。
【００３３】
図５に示すように、本実施形態の流路部材１７は、ホルダ本体４の中空部５に収容される略円柱状の外形を有しており、流路部材１７の外径は、中空部５を区画するホルダ本体４の内壁２０の内径と、略等しい長さで構成されている。従って、本実施形態の流路部材１７は、中空部５に収容された状態において、内壁２０と摺動しながらホルダ部材２に対して回転する。
【００３４】
また、本実施形態では、図２に示すように、流路部材１７の外周面に形成された溝部２１が接続流路１９を区画する。すなわち、本実施形態の接続流路１９は、流路部材１７がホルダ本体４の中空部５に収容されている状態において、流路部材１７の溝部２１及びホルダ本体４の内壁２０により区画される。
【００３５】
図５に示すように、本実施形態の溝部２１は、略円柱状の外形を有する流路部材１７の周方向Ｄ（流路部材１７がホルダ部材２に対して設置された状態ではホルダ本体４の周方向Ｃと同じ方向）の異なる位置に形成されると共に、流路部材１７の中心軸方向Ｅ（流路部材１７がホルダ部材２に対して設置された状態ではホルダ本体４の中心軸方向Ａと同じ方向）を長手方向とする複数の長溝部２２と、流路部材１７の周方向Ｄにおいて複数の長溝部２２同士を繋ぐ接続溝部２３と、で構成される。
【００３６】
なお、本実施形態の長溝部２２は、流路部材１７の周方向Ｄにおいて約９０度ずつずれた位置に３つ形成されている。従って、流路部材１７がホルダ本体４の中空部５に収容されている状態において、流路部材１７をホルダ部材２に対して回転させることにより、これら３つの長溝部２２が区画する長溝それぞれを、ホルダ部材２の第１ポート部７が区画する第１流路１０、第２ポート部８が区画する第２流路１１及び第３ポート部９が区画する第３流路１２に連通させるようにすることができる。
【００３７】
また、本実施形態の接続溝部２３は、流路部材１７の中心軸方向Ｅにおいて、第１流路１０、第２流路１１及び第３流路１２が位置する位置とは異なる位置で、複数の長溝部２２が区画する長溝間を周方向Ｄに繋いでいる。すなわち、本実施形態では、流路部材１７がホルダ本体４の内壁２０と摺動しながら回転するときに、接続溝部２３により区画される接続溝が、第１流路１０、第２流路１１及び第３流路１２と直接連通することはない。従って、第１流路１０、第２流路１１及び第３流路１２が、３つの長溝部２２が区画する長溝のいずれとも直接連通していない場合、第１流路１０、第２流路１１及び第３流路１２はいずれも、流路部材１７の外周面により閉鎖状態とされ、接続流路１９と連通しない。
【００３８】
なお、本実施形態の３つの長溝部２２のうち、流路部材１７の周方向Ｄにおいて中間に位置する長溝部２２（他の２つの長溝部それぞれに対して周方向Ｄにおいて９０度ずれた位置にある長溝部）には、この中間に位置する長溝部２２が区画する長溝を周方向Ｄにおいて２つの空間に仕切る板状の仕切壁２４が設けられている。本実施形態の仕切壁２４は、長溝部２２の溝底から流路部材１７の径方向Ｆ（流路部材１７がホルダ部材２に対して取り付けられた状態ではホルダ本体４の径方向Ｂと同じ方向）に延在しているが、流路部材１７の径方向Ｆにおいて、仕切壁２４の長さは、長溝部２２の長さ（長溝部２２の溝底の深さ）よりも短い。つまり、本実施形態の仕切壁２４の径方向Ｆの外側端部は、流路部材１７が中空部５に収容されている状態において、中空部５を区画するホルダ本体４の内壁２０と接触しない。すなわち、本実施形態の仕切壁２４により仕切られる、長溝部２２が区画する長溝の２つの空間は、流路部材１７が中空部５に収容されている状態において、仕切壁２４の径方向Ｆ外側の位置で繋がっている。
【００３９】
また、図５に示すように、本実施形態の流路部材１７の中心軸方向Ｅの一端（図５において下端）には、コック部材３のハンドル部材１８に形成された凸部３５（図６等参照）が嵌合する凹部４１が形成されている。この詳細については後述する。
【００４０】
更に、流路部材１７は、その外周面において、環状凹部２５が形成されており、図２に示すように、この環状凹部２５が、ホルダ本体４の中空部５を区画する内壁２０に形成された環状凸部２６と嵌合することにより、流路部材１７の、ホルダ本体４の中心軸方向Ａでの、ホルダ本体４に対する位置、すなわちホルダ部材２に対する位置が固定される。
【００４１】
ここで、本実施形態の流路部材１７は、図５に示すように、中心軸方向Ｅにおいて両端が開放された中空部２７を区画しており、図２に示すように、後述するハンドル部材１８の受け部２８が、この中空部２７内に収容される。また、流路部材１７の外壁には接続流路１９を区画する溝部２１が形成されているため、流路部材１７の中心軸方向Ｅにおける中空部２７の中央部は、同方向Ｅにおける両端部よりも細くなっている。なお、中心軸方向Ｅにおける中空部２７の両端部は、略同径の円筒状の内周面により区画されている。また、図２に示すように、これら内周面で区画される中空部２７の両端部は、中心軸方向Ｅの中央部では、流路部材１７の径方向Ｆ（図２においてはホルダ本体４の径方向Ｂと同じ方向）の中心部の位置で少なくとも連通している。
【００４２】
次に、コック部材３のハンドル部材１８について説明する。ハンドル部材１８は、上述した流路部材１７に対して移動可能に取り付けられる。具体的に、本実施形態のハンドル部材１８は、図６に示すように、流路部材１７の内壁を受ける受け部２８と、この受け部２８の一端に一体で形成され、ユーザーにより把持されるハンドル部２９と、を備える。
【００４３】
図２に示すように、コック部材３がホルダ部材２に取り付けられた状態において、本実施形態の受け部２８は、流路部材１７が区画する中空部２７内で、ホルダ本体４の中心軸方向Ａに延在し、流路部材１７及びホルダ部材２に対して同方向Ａにおいて移動可能である。そのため、ハンドル部材１８は、同方向Ａに移動することにより、流路部材１７及びホルダ部材２に対する位置を変えることができる。
【００４４】
本実施形態の受け部２８は、図６に示すように、ハンドル部２９が一体で形成される受け部２８の一端部である、略円柱状の外形を有する基端部３０と、この基端部３０の反対側に位置する受け部２８の他端部である、略円柱状の外形を有する先端部３１と、基端部３０及び先端部３１の間で両者を接続する角柱状の中間部３２と、を備える。
【００４５】
本実施形態の受け部２８は、上述した基端部３０、先端部３１及び中間部３２が一体となって、流路部材１７の中空部２７内を、ホルダ本体４の中心軸方向Ａに移動することができ、受け部２８のこの移動により、ハンドル部材１８は、流路部材１７及びホルダ部材２に対する中心軸方向Ａにおける位置を変えることができる。
【００４６】
また、図６に示すように、本実施形態の基端部３０の外周面には、この外周面に対して径方向（コック部材３がホルダ部材２に取り付けられた状態ではホルダ本体４の径方向Ｂと同じ方向）の外方に突出する複数の凸部３３が形成されている。また、基端部３０の先端部３１側は、径方向に延在する平面であって、中間部３２が接続される接続面３４が設けられている。
【００４７】
更に、図６に示すように、本実施形態の先端部３１の外周面には、この外周面に対して径方向（コック部材３がホルダ部材２に取り付けられた状態ではホルダ本体４の径方向Ｂと同じ方向）の外方に突出する複数の凸部３５が形成されている。また、先端部３１の基端部３０側は、径方向に延在する平面であって、中間部３２が接続される接続面３６が設けられている（図２参照）。
【００４８】
本実施形態の中間部３２は、基端部３０の接続面３４と、先端部３１の接続面３６とを接続する角棒状に形成されている。なお、本実施形態の中間部３２は、基端部３０と一体で成形されており、先端部３１の接続面３６に形成された接合穴に中間部３２の一端を嵌め込むことにより、基端部３０と先端部３１とを接続している。
【００４９】
本実施形態のハンドル部２９は、図６に示すように、受け部２８の基端部３０と一体で形成されている。図１、図２に示すように、ハンドル部２９は、コック部材３がホルダ部材２に収容されている状態において、ホルダ本体４の中空部５（図３参照）の中心軸Ｏを回転軸として、ホルダ本体４の周方向Ｃに回転させることができるように構成されている。ハンドル部２９が回転すると、受け部２８を介して流路部材１７にトルクが伝達され、流路部材１７をホルダ本体４の中空部５内で周方向Ｃに回転させることができ、これにより、ホルダ部材２の第１〜第３流路１０〜１２の接続関係を変化させることができる。なお、本実施形態のハンドル部２９は、受け部２８の基端部３０及び中間部３２と一体で形成されているが、基端部３０に対して固定されていればよく、一体で成形されるものに限られるものではない。
【００５０】
ここで、本実施形態のコネクタ１は、コック部材３の一部であるハンドル部材１８を、ホルダ本体４の中心軸方向Ａに移動させて、ハンドル部材１８の、流路部材１７及びホルダ部材２に対する位置を変えることにより、周方向Ｃにおけるホルダ部材２に対するコック部材３の回転量が制限されない第１の形態と、周方向Ｃにおけるホルダ部材２に対するコック部材３の回転量が制限される第２の形態と、に変形可能である。この点の詳細は後述する。
【００５１】
［接続部材５０］
接続部材５０は、ホルダ部材２における第３ポート部９の先端部に取り付けられている。本実施形態の接続部材５０は、第３医療器具のオスコネクタが挿入可能な挿入部１３を区画するキャップ部材１４と、スリット１５を有し、挿入部１３を閉塞する弾性弁体１６と、を備える。従って、ホルダ部材２の第３ポート部９には、接続部材５０を介して、第３医療器具が接続可能である。
【００５２】
キャップ部材１４の材料は、上述したホルダ部材２の材料と同様の材料を用いることができる。
【００５３】
また、弾性弁体１６は、金型成形され、弾性変形可能に形成される。この弾性弁体１６の材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマが挙げられ、これらのうちの１種または２種以上を混合したものであってもよい。
【００５４】
なお、本実施形態の接続部材５０におけるキャップ部材１４は、円形扁平状の弾性弁体１６を、天面（外方に露出する側の面）と、天面の反対側の面である底面とから挟持、圧縮する天面キャップ６１及び底面キャップ６２により構成されているが、この構成に限られるものではなく、例えば、第３ポート部と底面キャップとを一体の構成、すなわち、ホルダ部材の第３ポート部と天面キャップとで弾性弁体を挟持、圧縮する構成としてもよい。
【００５５】
［コック部材３のホルダ部材２に対する回転量を制限する機構について］
次に、ホルダ部材２に対するコック部材３の回転量を制限する機構について説明する。本実施形態のコネクタ１は、コック部材３の少なくとも一部がホルダ部材２に対する位置を変えることにより、ホルダ部材２に対するコック部材３の周方向Ｃにおける回転量が制限されない第１の形態と、ホルダ部材２に対するコック部材３の周方向Ｃにおける回転量が制限される第２の形態と、に変形可能である。具体的に、本実施形態では、コック部材３の一部としてのハンドル部材１８が、コック部材３の回転軸方向（本実施形態ではホルダ本体４の中心軸方向Ａと同じ方向）に、コック部材３の一部としての流路部材１７、及びホルダ部材２に対して移動することにより、ハンドル部材１８が、流路部材１７及びホルダ部材２に対する位置を変化させる。このハンドル部材１８の移動により、コネクタ１は、上記第１の形態と上記第２の形態とに変形可能である。
【００５６】
まず、コック部材３がホルダ部材２に取り付けられた状態での、ホルダ部材２のホルダ本体４、コック部材３の流路部材１７、及びコック部材３のハンドル部材１８のそれぞれの位置関係について説明する。図２に示すように、略円柱状の外形を有する流路部材１７の外径は、ホルダ本体４の内壁２０の内径に略等しい。従って、流路部材１７は、ホルダ本体４の内壁２０に摺動しながら回転することができる。また、流路部材１７の中空部２７を区画する内壁のうち、中心軸方向Ａの両端部は、略等しい内径を有する略円筒形状であり、その一端部は、ハンドル部材１８の基端部３０の外径と略等しく、その他端部は、ハンドル部材１８の先端部３１の外径と略等しい、又は先端部３１の外径よりも若干大きい。従って、本実施形態のハンドル部材１８は、ハンドル部材１８の基端部３０の外周面が流路部材１７の内周面に摺動しながら、ホルダ本体４の中心軸方向Ａに移動することができる。
【００５７】
本実施形態では、ホルダ部材２とコック部材３との間に、コネクタ１が上述の第１の形態にある場合と上述の第２の形態にある場合とで嵌合関係を変化させる、凸部及び凹部が設けられている。具体的に、ホルダ部材２とコック部材３との間には、コネクタ１の第１の形態では互いに嵌合せず、コネクタ１の第２の形態で互いに嵌合する、凸部３３及び凹部４０が設けられている。なお、本実施形態では、凸部３３がコック部材３のハンドル部材１８に形成され、凹部４０がホルダ部材２のホルダ本体４に形成されている。
【００５８】
より具体的に、図３に示すように、略円筒状のホルダ本体４の、中心軸方向Ａの一端は、櫛歯状に形成されており、その谷部が上述の凹部４０を構成している。また、図６に示すように、本実施形態のハンドル部材１８の基端部３０には、略円柱状の外周面に対して径方向の外方に突出する複数の突起が設けられ、この突起が上述の凸部３３を構成している。
【００５９】
本実施形態では、コック部材３の一部としてのハンドル部材１８を中心軸方向Ａ（コック部材３の回転軸方向）に移動させて、上述の凸部３３と凹部４０との嵌合関係を変化させることにより、第１の形態及び第２の形態の両形態を実現することができる。具体的に、本実施形態では、ハンドル部材１８をホルダ部材２から引き抜くように移動させる、すなわちハンドル部材１８を図２の上方に移動させると、凸部３３と凹部４０との嵌合が解除され、コネクタ１は第１の形態となる。コネクタ１が第１の形態にある場合、コック部材３は、ホルダ本体４の周方向Ｃにおいて回転することができ、ホルダ部材２に対する周方向Ｃの回転量は制限されない。そのため、ユーザーは、コック部材３のハンドル部２９を周方向Ｃに回転させることにより、コック部材３の流路部材１７を回転させて、ホルダ部材２内の第１流路１０、第２流路１１及び第３流路１２の間の接続関係を変更することができる。
【００６０】
これに対して、ハンドル部材１８をホルダ部材２に押し込むように移動させる、すなわちハンドル部材１８を図２の下方に移動させると、凸部３３と凹部４０とが嵌合し、コネクタ１は第２の形態となる。コネクタ１が第２の形態にある場合、コック部材３は、ホルダ本体４の周方向Ｃにおいて回転することができず、ホルダ部材２に対する周方向Ｃの回転量は制限される。そのため、ユーザーが、コック部材３のハンドル部２９を意図せずに回転させてしまうことが抑制される。
【００６１】
なお、本実施形態では、図１に示すように、ホルダ部材２の凹部４０及びコック部材３の凸部３３をそれぞれ、ホルダ本体４の周方向Ｃにおいて中心角を４５度ずつずらした位置に８つ設けているが、この数に限られるものではなく、使用するコネクタの種類や用途等に応じて適宜変更することが可能である。本実施形態のコネクタ１は三方活栓であるため、３つのポート部のうち少なくとも２つのポート部が区画する流路間を接続することができるように、更に、３つのポート部が区画する流路がいずれも接続されていない状態とすることができるように、凹部４０及び凸部３３をそれぞれ８つ設ける構成としているが、例えば、３つのポート部が区画する流路すべてが接続された状態のときだけ、コック部材を回転させないように、凹部及び凸部をそれぞれ１つだけ設ける構成とすることも可能である。また、３つのポート部のうち少なくとも２つのポート部が区画する流路間を接続することができるように、凹部及び凸部をそれぞれ４つ設ける構成とすることもできる。
【００６２】
また、本実施形態の凸部３３は、コック部材３の外壁、すなわちハンドル部材１８の基端部３０における外周面に、径方向の外方に突出するように設けられ、本実施形態の凹部４０は、ホルダ本体４の、中心軸方向Ａ（コック部材３の回転軸方向と同じ方向）の一端に設けられているが、凸部及び凹部が設けられる位置はこれに限られるものではなく、コック部材やホルダ部材の形状に応じて適宜変更することが可能である。
【００６３】
更に、本実施形態では、凸部３３と凹部４０とが嵌合した状態において、コック部材３は、ホルダ本体４の周方向Ｃにおいて全く回転できない構成であるが、コック部材３のホルダ部材２に対する周方向Ｃの回転量が制限される他の構成としてもよい。例えば、周方向Ｃにおける凹部の幅が凸部の幅よりも広く構成されており、凹部と凸部とが嵌合した第２の形態では、回転量が所定値以下に制限され、凹部と凸部の嵌合が解除された第１の状態では、上記所定値よりも大きい回転量の回転が可能な構成としてもよい。
【００６４】
また更に、本実施形態のコック部材３は、流路部材１７と、及びこの流路部材１７に対して移動可能に取り付けられたハンドル部材１８とで構成されているが、この構成に限られるものではなく、例えば、流路部材と、流路部材に対して移動しないように流路部材に固定されたハンドル部材とでコック部材を構成してもよい。また、本実施形態のコック部材３は、別部材である流路部材１７とハンドル部材１８とを備える構成されているが、この構成に限られるものではなく、例えば、本実施形態の流路部材１７が、ハンドル部材１８の受け部２８に一体で成形されているようなコック部材としてもよい。但し、本実施形態のコック部材３のように、ハンドル部材１８が流路部材１７に対して移動可能に取り付けられた構成とすれば、コネクタ１を第１の形態と第２の形態との間で変形させる際に、流路部材１７のホルダ部材２に対する位置が変化しない構成とすることができる。そのため、ハンドル部材１８がホルダ本体４の中心軸方向Ａに移動した場合であっても、流路部材１７の接続流路１９の位置が、ホルダ部材２の複数のポート部が区画する流路の位置に対して、中心軸方向Ａにおいて変動しない構成とすることができる。従って、第１の形態と第２の形態との間で形態を変形させる際に、コック部材の接続流路と、ホルダ部材のポート部の流路との位置関係が変動する構成と比較して、第１の形態と第２の形態との間で形態を変形させる前後で、コック部材の接続流路とポート部の流路との接続状態を安定的に維持することができる。
【００６５】
なお、流路部材に対して位置が固定されたハンドル部材を備えるコック部材や、本実施形態の流路部材１７とハンドル部材１８とが一体で形成されているようなコック部材とする場合には、コック部材の一部としての流路部材及びハンドル部材、又はコック部材全部の、ホルダ部材に対する位置を変えることにより、コネクタを、第１の形態と第２の形態とに変形させることができる。
【００６６】
ここで、本実施形態では、上述した凸部３３及び凹部４０とは別に、流路部材１７とハンドル部材１８との間に、コネクタ１の第１の形態で互いに嵌合し、第２の形態では嵌合しない、凸部３５及び凹部４１が設けられている。具体的に、図５に示すように、本実施形態の流路部材１７の中心軸方向Ｅの一端は、櫛歯状に形成されており、その谷部が上述の凹部４１を構成する。また、図６に示すように、ハンドル部材１８の先端部３１には、略円柱状の外周面に対して径方向の外方に突出する複数の突起が形成されており、この突起が上述の凸部３５を構成する。なお、凸部３３と凸部３５とを区別するために、説明の便宜上、以下、凸部３３を「第１凸部３３」と記載し、凸部３５を「第２凸部３５」と記載する。また、凹部４０と凹部４１とを区別するために、説明の便宜上、以下、凹部４０を「第１凹部４０」と記載し、凹部４１を「第２凹部４１」と記載する。
【００６７】
上述したように、ハンドル部材１８を図２の上方に移動させると、ハンドル部材１８の基端部３０に形成された第１凸部３３と、ホルダ本体４に形成された第１凹部４０との嵌合が解除され、コネクタ１は第１の形態となるが、コネクタ１が第１の形態にあるとき、ハンドル部材１８の先端部３１に形成された第２凸部３５と、流路部材１７に形成された第２凹部４１とは嵌合した状態となっている。従って、コネクタ１が第１の形態にある場合、コック部材３のハンドル部材１８は、ホルダ本体４の周方向Ｃにおいて回転可能であり、ハンドル部材１８が回転すると、第２凸部３５と第２凹部４１との嵌合により、ハンドル部材１８から流路部材１７にトルクが伝達され、流路部材１７はハンドル部材１８に従動して回転する。
【００６８】
これに対して、ハンドル部材１８を図２の下方に移動させると、ハンドル部材１８の基端部３０に形成された第１凸部３３と、ホルダ本体４に形成された第１凹部４０とが嵌合し、コネクタ１は第２の形態となるが、コネクタ１が第２の形態にあるとき、ハンドル部材１８の先端部３１に形成された第２凸部３５と、流路部材１７に形成された第２凹部４１とは嵌合が解除された状態となっている。
【００６９】
なお、図５、図６に示すように、本実施形態の第２凸部３５及び第２凹部４１は、上述した第１凸部３３及び第１凹部４０の数に対応して、それぞれ８つずつ形成されている。また、コック部材３がホルダ部材２に対して取り付けられた状態であって、かつ、ハンドル部材１８の第１凸部３３とホルダ本体４の第１凹部４０とがホルダ本体４の周方向Ｃにおいて同じ位置にある状態では、ハンドル部材１８の第２凸部３５及び流路部材１７の第２凹部４１も、同周方向Ｃにおいて同じ位置になるように、第２凸部３５及び第２凹部４１の位置は、第１凸部３３及び第１凹部４０の位置と位置合わせされている。
【００７０】
本実施形態では、第１凸部３３及び第１凹部４０に加えて、上述の第２凸部３５及び第２凹部４１を備えるため、コネクタ１が第１の形態と第２の形態との間で形態を変える際には、流路部材１７がホルダ部材２に対して中心軸方向Ａ（コック部材３の回転軸方向）に移動せず、コネクタ１が第１の形態にあるときに、流路部材１７がハンドル部材１８と共にホルダ部材２に対して周方向Ｃに回転する構成を実現することができる。
【００７１】
以上のように、本実施形態としてのコネクタ１によれば、ハンドル部材１８をホルダ部材２に対して押し込むように移動させることにより、コック部材３をホルダ部材２に対して回転できない位置（コネクタ１の第２の形態）にセットすることができるため、ユーザーが意図せずにコック部材３を回転させてしまうことを抑制することができる。また、ユーザーは、ハンドル部材１８をホルダ部材２から引き抜くように移動させることにより、コック部材３をホルダ部材２に対して回転可能な位置（コネクタ１の第１の形態）に移動させることができる。つまり、ハンドル部材１８のホルダ部材２に対する位置を変える簡単な操作により、コネクタ１を、第１の形態と第２の形態とに変形させることができる。
【００７２】
更に、本実施形態では、コック部材３が回転できる状態と、コック部材３が回転できない状態とを、ホルダ部材２とコック部材３とにより実現している。そのため、例えば、コネクタを構成する部品（ホルダ部材やコック部材など）ではない別の部材をユーザーが着脱することにより、コック部材がホルダ部材に対して回転可能な状態と、回転できない状態とを実現する構成と比較して、上記別の部材が不要になるため、少ない部品数で上記状態の変化を実現することができる。
【００７３】
なお、本実施形態のコネクタ１は３つのポート部を有する三方活栓であるが、三方活栓に限られるものではなく、例えば、４つ以上のポート部を有する医療用活栓とすることも可能である。
【００７４】
［コネクタ１を備える輸液セット１１０］
最後に、本発明の１つの実施形態として、コネクタ１を備える輸液セット１１０について説明する。図７は輸液セット１１０を示す図である。なお、図７で示す輸液セット１１０は、上述したコネクタ１としての三方活栓を備えるものであるが、これに代えて、４つ以上のポート部を備える医療用活栓としてもよい。ここでは、説明の便宜上、コネクタ１としての三方活栓を備える輸液セット１１０について説明する。
【００７５】
輸液セット１１０は、図７において図示しない輸液バッグから、図７において同じく図示しない留置針までを接続する輸液ラインを形成するものである。具体的に、輸液セット１１０は、複数の輸液チューブ１１１と、輸液バッグから供給される輸液剤の流量を視認可能な点滴筒１１２と、輸液チューブ１１１内の輸液剤の流量を調整するクレンメ１１３と、輸液ラインに存在する空気を排出（又は供給）するエアベントフィルタ１１４と、輸液チューブ１１１を閉塞するクランプ１１５と、を備える。
【００７６】
本実施形態では、コネクタ１が、クレンメ１１３とエアベントフィルタ１１４との間に設けられている。コネクタ１は、点滴筒１１２から下流側に延在する第１輸液チューブ１１１ａと、エアベントフィルタ１１４の上流側に延在する第２輸液チューブ１１１ｂとの間を流通可能に接続することで輸液ラインのメインラインの流路の一部を構成する。より具体的に、本実施形態では、コネクタ１の第１ポート部７が、第１医療器具としての第１輸液チューブ１１１ａ（医療用チューブ）と接続されている。また、コネクタ１の第２ポート部８は、第２医療器具としての第２輸液チューブ１１１ｂ（医療用チューブ）と接続されている。
【００７７】
また、コネクタ１の第３ポート部９には、第３医療器具としての、オスコネクタを先端に備える第３輸液チューブ１１１ｃ（医療用チューブ）が接続され、輸液ラインのサブラインが構成されている。従って、コネクタ１内において、輸液ラインのメインラインとサブラインとが繋がっている。
【００７８】
コネクタ１のハンドル部２９を回転させることにより、第１ポート部７が区画する第１流路１０（図３参照）、第２ポート部８が区画する第２流路１１（図３参照）及び第３ポート部９が区画する第３流路１２（図３参照）の間での接続関係を切り替えることができる。
【００７９】
なお、本実施形態では、コネクタ１を、クレンメ１１３とエアベントフィルタ１１４との間に設けたが、この位置に限られるものではなく、所望の位置に設けることが可能である。また、本実施形態の輸液セット１１０は、コネクタ１を１つのみ備える構成であるが、複数設ける構成としてもよい。
【００８０】
本発明は、上述した実施形態で特定された構成に限定されるものではなく、特許請求の範囲に記載した発明の要旨を逸脱しない範囲内で種々の変形が可能である。
【産業上の利用可能性】
【００８１】
本発明は、医療用コネクタ及び当該医療用コネクタを備える輸液セットに関する。
【符号の説明】
【００８２】
１：医療用コネクタ
２：ホルダ部材
３：コック部材
４：ホルダ本体
５：ホルダ本体の中空部
７：第１ポート部（ポート部）
８：第２ポート部（ポート部）
９：第３ポート部（ポート部）
１０：第１流路（流路）
１１：第２流路（流路）
１２：第３流路（流路）
１３：挿入部
１４：キャップ
１５：スリット
１６：弾性弁体
１７：流路部材
１８：ハンドル部材
１９：接続流路
２０：内壁
２１：溝部
２２：長溝部
２３：接続溝部
２４：仕切壁
２５：環状凹部
２６：環状凸部
２７：流路部材の中空部
２８：受け部
２９：ハンドル部
３０：基端部
３１：先端部
３２：中間部
３３：凸部（第１凸部）
３４：基端部の接続面
３５：凸部（第２特部）
３６：先端部の接続面
４０：凹部（第１凹部）
４１：凹部（第２凹部）
５０：接続部材
６１：天面キャップ
６２：底面キャップ
１１０：輸液セット
１１１：輸液チューブ
１１１ａ：第１輸液チューブ（医療器具）
１１１ｂ：第２輸液チューブ（医療器具）
１１１ｃ：第３輸液チューブ（医療器具）
１１２：点滴筒
１１３：クレンメ
１１４：エアベントフィルタ
１１５：クランプ
Ａ：ホルダ本体の中心軸方向（コック部材の回転軸方向）
Ｂ：ホルダ本体の径方向
Ｃ：ホルダ本体の周方向
Ｄ：流路部材の周方向
Ｅ：流路部材の中心軸方向
Ｆ：流路部材の径方向
Ｏ：ホルダ本体の中空部の中心軸Ｏ
【図１】
2015186498.tif 000003
【図２】
2015186498.tif 000004
【図３】
2015186498.tif 000005
【図４】
2015186498.tif 000006
【図５】
2015186498.tif 000007
【図６】
2015186498.tif 000008
【図７】
2015186498.tif 000009